(57)【要約】【課題】  表示装置において観視者が見ている部分のみのバックライトを点灯し、省電力化を図る携帯機器及びその画面表示制御方法を提供することを目的とする。【解決手段】  画面表示部５１がマトリクス状に分割されたバックライト部４を持ち、その分割されたマトリクス要素単位でのバックライトの点灯及び消灯制御を行うことができるバックライト駆動部３及び観視者の目の動きを検出する視点検出部６を備え、バックライト部４を構成する全マトリクス要素のうち、検出された目の動きより推測されるＬＣＤ部５上の視点位置近傍に対応するマトリクス要素のみを選択的に点灯させるように画面表示部５１を制御する。【選択図】        図１
2008209610.tif 000002
【特許請求の範囲】
【請求項１】
表示画面の裏面側にマトリックス状に並設された複数のバックライトと、
前記表示画面を観る観視者の目の動きに基づいて、前記表示画面上にある視点の位置を検出する視点検出手段と、
前記視点検出手段により検出された前記視点の位置に応じて、前記複数のバックライトの点灯を制御する点灯制御手段とを備えた携帯機器。
【請求項２】
制御手段は、視点の位置を中心に所定範囲のバックライトを点灯することを特徴とする請求項１に記載の携帯機器。
【請求項３】
制御手段は、観視者の目の所定の動きに基づいて、バックライトの点灯と消灯との切り替え、又は全灯と所定範囲の点灯との切り替えをすることを特徴とする請求項２に記載の携帯機器。
【請求項４】
表示画面を観る観視者の目の動きに基づいて、前記表示画面上にある視点の位置を検出するステップと、
検出された前記視点の位置に応じて、前記表示画面の裏面側にマトリックス状に並設された複数のバックライトの点灯を制御するステップを備えた携帯機器の表示制御方法。
【発明の詳細な説明】
【技術分野】
【０００１】
本発明は、表示装置を備えた携帯機器に関し、特に表示装置の省電力化を図る携帯機器及びその表示制御方法に関するものである。
【背景技術】
【０００２】
携帯電話機、ＰＨＳ等の携帯機器では、当該機器が一定時間操作されない場合に画面表示を消灯または暗くする等の省電力機能が標準的に搭載されている。特許文献１では、携帯機器の画面表示部の背面にマトリクス状に配置された複数のバックライトを個別に制御し、情報が表示される際に画面表示部上の表示位置を特定し、その特定された表示位置に対応するバックライトのみを点灯する制御を行い省電力機能を実現している。
【０００３】
特許文献２、特許文献３、及び特許文献４では画面表示部を備えた機器（携帯機器を含む）に搭載された、カメラ等の視線方向を検出する手段を用いて観視者の視線方向を検出し、この検出された視線方向に基づき画面表示部を見ているか否かを判定し、画面表示部を見ていないと判定された場合には画面表示部の電源を切る、輝度を下げる等の制御を行うことにより省電力機能を実現している。
【０００４】
【特許文献１】特開平１１−１８４４４２号公報（００１５〜００２３段、図１）
【特許文献２】特開平１１−２８８２５９号公報（００２０〜００２２段、図１）
【特許文献３】特開２００３−１７４５０５号公報（００１２〜００１７段、図１）
【特許文献４】特開２００５−２２１９０７号公報（００１２〜００２３段、図１）
【発明の開示】
【発明が解決しようとする課題】
【０００５】
しかしながら、上記従来の携帯機器では、特許文献１に記載の画面表示部制御方法では、観視者が画面表示部を見ていない時でも情報が表示されている間は表示位置に対応するバックライトが点灯し続けるため、無駄な電力を消費するという問題があった。
【０００６】
また、特許文献２、特許文献３、及び特許文献４に記載の画面表示部制御方法では、検出された観視者の視線方向が画面表示部上にあるかないかを判定して画面表示部全面の電源を切る等の制御を行っているので、観視者の視線が画面表示部上にあると判定された場合には、観視者が必要とする最小限以外の不要な部分のバックライトも点灯するため無駄な電力を消費するという問題があった。
【０００７】
本発明は、上記のような問題を解決するためになされたものであり、表示装置において観視者が見ている部分のみのバックライトを点灯し、省電力化を図る携帯機器及びその画面表示制御方法を提供することを目的とする。
【課題を解決するための手段】
【０００８】
本発明に係る携帯機器は、表示画面の裏面側にマトリックス状に並設された複数のバックライトと、表示画面を観る観視者の目の動きに基づいて、表示画面上にある視点の位置を検出する視点検出手段と、視点検出手段により検出された視点の位置に応じて、複数のバックライトの点灯を制御する点灯制御手段とを備えたものである。
【０００９】
本発明に係る携帯機器の表示制御方法は、表示画面を観る観視者の目の動きに基づいて、表示画面上にある視点の位置を検出するステップと、検出された視点の位置に応じて、表示画面の裏面側にマトリックス状に並設された複数のバックライトの点灯を制御するステップを備えたものである。
【発明の効果】
【００１０】
本発明によれば、点灯制御手段が、視点検出手段により検出された視線の位置に応じて表示画面の裏面側にマトリックス状に並設された複数のバックライトの点灯を制御することにより、観視者が必要とする最小限以外の不要なバックライトを消灯することができ、携帯機器の省電力化を図ることができる。
【発明を実施するための最良の形態】
【００１１】
以下、本発明に係る携帯機器の各種実施の形態について、図面に基づいて説明する。
実施の形態１．
図１は、本実施の形態１における携帯機器１０１の構成を示すブロック図である。図１において、１はアンテナで、２はアンテナ１を介して無線信号を送受し無線基地局との間で無線通信を行う無線部である。
【００１２】
５１は画面表示部であり、バックライト駆動部３、バックライト部４、及びＬＣＤ（Ｌｉｑｕｉｄ  Ｃｒｙｓｔａｌ  Ｄｉｓｐｌａｙ：液晶表示パネル）部５からなる。バックライト駆動部３により駆動されるバックライト部４が点灯する事によりＬＣＤ部５の表示内容が見えるようになる。
【００１３】
６は携帯機器１０１を使用する観視者の目の動きを検出する視点検出手段としての視点検出部である。７は各部からの情報を基にＣＰＵ（Ｃｅｎｔｒａｌ  Ｐｒｏｃｅｓｓｉｎｇ  Ｕｎｉｔ）等を用いて演算を行い機器各部を制御するとともに、バックライト駆動部３を介してバックライト部４を制御する点灯制御手段としての制御部である。
【００１４】
８はキー等の手段を用いて携帯機器への入力を行う操作部、９は音声通話時に相手の音声を出力するスピーカ、１０は音声通話時に音声を入力するためのマイクである。
【００１５】
図２は、バックライト駆動部３とバックライト部４の詳細図である。バックライト部４は、図２に示すように、例えば６行×４列のマトリクス状に分割されており、バックライト駆動部３によりマトリクス要素ひとつひとつを個別に点灯あるいは消灯できるように構成されている。
【００１６】
次に動作について説明する。図３は、図１に示す制御部７が行う消費電力削減処理の流れを示すフローチャートである。視点検出部６から通知された検出結果を受けた制御部７は、通知された検出結果を用いて、まず観視者の視線がＬＣＤ部５上に向けられているか否かを判定する（Ｓ３０１）。Ｓ３０１で観視者の視線がＬＣＤ部６上に向けられていない場合は、バックライト部４の全マトリクス要素を消灯する（Ｓ３０２）。
【００１７】
Ｓ３０１で観視者の視線がＬＣＤ部５上に向けられていると判定された場合は、前記の検出結果を用いてＬＣＤ部５上の視点位置を算出する（Ｓ３０３）。バックライト部４を構成する全マトリクス要素のうち、Ｓ３０３で算出されたＬＣＤ部５上の視点位置近傍に対応したマトリクス要素のみを点灯し（Ｓ３０４）、視点検出部６から次の検出結果が通知されるのを待つ。
【００１８】
図４は、図３に示すフローチャートを使用した消費電力削減処理によるバックライト部４の点灯の様子の一例を示す概略図である。図４で、網目模様のないマトリクス要素は点灯を、網目模様のあるマトリクス要素は消灯を、◎のついたマトリクス要素は、図３のＳ３０３において算出されたＬＣＤ部５上の視点位置に対応するマトリクス要素を示す。
【００１９】
図３のＳ３０３におけるＬＣＤ部５上の視点位置の算出結果がバックライト部４のマトリクス要素（３）ｄに対応する場合（図４（ａ））は、マトリクス要素（３）ｄと、その近傍のマトリックス要素（２）ｃ、（２）ｄ、（３）ｃ、（４）ｃ、（４）ｄのみが点灯しその他のマトリクス要素は全て消灯する。
【００２０】
図３のＳ３０３におけるＬＣＤ部５上の視線位置の算出結果がバックライト部４のマトリクス要素（３）ｃに対応する場合（図４（ｂ））は、マトリクス要素（３）ｃと、その近傍のマトリックス要素（２）ｂ、（２）ｃ、（２）ｄ、（３）ｂ、（３）ｄ、（４）ｂ、（４）ｃ、（４）ｄのみが点灯しその他のマトリクス要素は全て消灯する。
【００２１】
図５は、点灯させるマトリクス要素の選択方法のバリエーションを示した概略図である。点灯させるマトリクス要素の選択方法としては、図４に示すような正方形を基本としたものだけでなく図５に示すような、ひし形を基本とするもの（図５（ａ））や、前後の行あるいは列を基本とするもの（図５（ｂ））等のバリエーションが存在してもよい。
【００２２】
また、当該携帯機器１０１が一定時間操作されない場合には、画面表示を消灯又は暗くする等の従来の携帯機器に標準的に搭載されている省電力機能を併用してもよい。
【００２３】
以上のように、本実施の形態１では、画面表示部５１がマトリクス状に分割されたバックライト部４を持ち、その分割されたマトリクス要素単位でのバックライトの点灯及び消灯制御を行うことができるバックライト駆動部３及び観視者の目の動きを検出する視線検出部６を備え、バックライト部４を構成する全マトリクス要素のうち、検出された目の動きより推測されるＬＣＤ部５上の視点位置近傍に対応するマトリクス要素のみを選択的に点灯させるように画面表示部５１を制御するようにしたので、観視者が必要とする最小限以外の不要なマトリクス要素を消灯することができ、携帯機器の省電力化を図ることができる。
【００２４】
実施の形態２．
実施の形態１においては、観視者の目の動きを検出する視線検出部６によりＬＣＤ部５上の視点位置を検出して、バックライト部４のマトリックス要素を点灯制御し消費電力削減する場合について示した。実施の形態２では、観視者の目の動きを検出する視点検出部６により目の所定の動きを検出して、バックライトの点灯と消灯の切り替え、及び消費電力モードの切り替えを制御する場合について示す。
【００２５】
図６は、本発明の実施の形態２による、図１に示す制御部７が行う消費電力モード切り替え処理の流れを示すフローチャートである。消費電力モードは省電力モードと非省電力モードからなる。省電力モードは、実施の形態１で説明した、バックライト部４を構成する全マトリクス要素のうち、観視者の視線位置近傍に対応するマトリクス要素のみを点灯するという省電力機能を使用するモードである。
【００２６】
非省電力モードは、バックライト部４の全マトリクス要素を対象に当該携帯機器１０１が一定時間操作されない場合に画面表示を消灯又は暗くする等の携帯機器に標準的に搭載されているような省電力機能を使用するモードである。
【００２７】
次に動作について説明する。視点検出部６から通知された検出結果を受けた制御部７は通知された検出結果を用いて、観視者が瞬きしたかどうかを判定する（Ｓ６０１）。Ｓ６０１で瞬きしたと判定された場合は、現在の消費電力モードが省電力モードか非省電力モードかを判定する（Ｓ６０２）。
【００２８】
Ｓ６０２で現在の消費電力モードが省電力モードであれば、非省電力モードに切り替える（Ｓ６０３）。Ｓ６０２で現在の消費電力モードが非省電力モードであれば、省電力モードに切り替える（Ｓ６０４）。瞬きしたと判定されなかった場合は、視線検出部６から次の検出結果が通知されるのを待つ。
【００２９】
以上のように、本実施の形態２では、検出された観視者の目の動きから観視者が瞬きしたと推測された場合に、バックライト部４のマトリクス要素単位でのバックライト点灯及び消灯制御と、全マトリクス要素一括でのバックライトの点灯及び消灯制御を切り替えるように画面表示部５１を制御するようにしたので、観視者によるキー入力等の煩雑な作業無しに容易に消費電力モードの切り替えを行うことができる。
【図面の簡単な説明】
【００３０】
【図１】本発明に係る携帯機器の実施の形態１の構成を示すブロック図である。
【図２】本発明に係る携帯機器の実施の形態１のバックライトの制御機構を示す図である。
【図３】本発明に係る携帯機器の実施の形態１の動作手順を示すフローチャート図である。
【図４】本発明に係る携帯機器の実施の形態１のバックライトの制御例を示す図である。
【図５】本発明に係る携帯機器の実施の形態１のバックライトの別の制御例を示す図である。
【図６】本発明に係る携帯機器の実施の形態２の動作手順を示すフローチャート図である。
【符号の説明】
【００３１】
４  バックライト
６  視点検出部
７  制御部
１０１  携帯機器
【図１】
2008209610.tif 000003
【図２】
2008209610.tif 000004
【図３】
2008209610.tif 000005
【図４】
2008209610.tif 000006
【図５】
2008209610.tif 000007
【図６】
2008209610.tif 000008